(57)【要約】【課題】着脱可能に装着される外部記憶装置に画像データを記憶させることが可能なデジタル複合機において、外部記憶装置の利用方法に応じて外部記憶装置に対する電気的接続を制御する。【解決手段】制御部９は、持ち運びモードの場合には、外部記憶装置５０へのデータの保存が終了したときに外部記憶装置５０との電気的接続を遮断状態にするようにメモリ装着部８を制御し、据え置きモードの場合には、操作入力部６ｂを介してユーザーからの外部記憶装置５０の取り外し予告指示が入力され、かつ外部記憶装置５０に対するデータの保存が終了したときに外部記憶装置５０との電気的接続を遮断状態にするようにメモリ装着部８を制御する。【選択図】図１
2011166215.tif 000002
【特許請求の範囲】
【請求項１】
原稿を読み取って上記原稿の画像データを取得する画像読取部と、画像データに応じた画像を記録材上に印刷する画像形成部とを備えたデジタル複合機であって、
外部記憶装置が着脱可能に装着されるコネクタ部を有し、このコネクタ部に装着された外部記憶装置と当該デジタル複合機との電気的接続を導通状態と遮断状態とに切り替えるメモリ装着部と、
ユーザーからの指示入力を受け付ける操作入力部と、
上記コネクタ部に装着された外部記憶装置に対する画像データの保存、および上記コネクタ部に装着された外部記憶装置との電気的接続を制御する制御部とを備え、
上記外部記憶装置の利用モードとして持ち運びモードと据え置きモードとを有しており、
上記制御部は、
上記持ち運びモードの場合には、上記外部記憶装置へのデータの保存が終了したときに上記外部記憶装置との電気的接続を遮断状態にするように上記メモリ装着部を制御し、
上記据え置きモードの場合には、上記操作入力部を介してユーザーからの外部記憶装置の取り外し予告指示が入力され、かつ上記外部記憶装置に対するデータの保存が終了したときに上記外部記憶装置との電気的接続を遮断状態にするように上記メモリ装着部を制御することを特徴とするデジタル複合機。
【請求項２】
当該デジタル複合機において画像データを取り扱う際に用いられるデータ形式である第１データ形式の画像データに対する処理を行うためのアプリケーションソフトウェアを記憶するアプリケーション記憶部を備えており、
上記制御部は、
上記外部記憶装置に上記第１データ形式の画像データを保存させる場合に、上記アプリケーションソフトウェアを上記画像データとともに上記外部記憶装置に保存させ、上記外部記憶装置への上記画像データおよび上記アプリケーションソフトウェアの保存が完了してから上記外部記憶装置との電気的接続を遮断状態にするように上記メモリ装着部を制御することを特徴とする請求項１に記載のデジタル複合機。
【請求項３】
ユーザーに呈示する情報を表示する表示部を備え、
上記アプリケーション記憶部は、複数種類の上記アプリケーションソフトウェアを記憶しており、
上記制御部は、
上記据え置きモードの場合、上記第１データ形式で上記外部記憶装置に画像データを保存させ、
ユーザーからの取り外し予告指示があったときに、複数種類の上記アプリケーションソフトウェアのうちのいずれを上記外部記憶装置に保存させるかをユーザーに選択させるためのアプリケーション選択画面を表示させるように上記表示部を制御し、
上記操作入力部を介してユーザーが選択したアプリケーションソフトウェアの上記外部記憶装置への保存が完了してから上記外部記憶装置との電気的接続を遮断状態にするように上記メモリ装着部を制御することを特徴とする請求項２に記載のデジタル複合機。
【請求項４】
ユーザーに呈示する情報を表示する表示部を備え、
上記アプリケーション記憶部は、複数種類の上記アプリケーションソフトウェアを記憶しており、
上記制御部は、
上記持ち運びモードにおいて上記外部記憶装置に上記第１データ形式で画像データを保存させる場合、当該画像データの上記外部記憶装置への保存が完了したときに、複数種類の上記アプリケーションソフトウェアのうちのいずれを上記外部記憶装置に保存させるかをユーザーに選択させるためのアプリケーション選択画面を表示させるように上記表示部を制御し、
上記操作入力部を介してユーザーが選択したアプリケーションソフトウェアの上記外部記憶装置への保存が完了してから上記外部記憶装置との電気的接続を遮断状態にするように上記メモリ装着部を制御することを特徴とする請求項２または３に記載のデジタル複合機。
【請求項５】
上記アプリケーション記憶部は、少なくとも、上記第１データ形式の画像データに応じた画像を表示手段に表示させるための表示用アプリケーションソフトウェア、上記第１データ形式の画像データに応じた画像を記録材上に印刷させるための印刷用アプリケーションソフトウェア、および上記第１データ形式の画像データに応じた画像の編集処理を行うための編集用アプリケーションソフトウェアを記憶していることを特徴とする請求項３または４に記載のデジタル複合機。
【発明の詳細な説明】
【技術分野】
【０００１】
本発明は、外部記憶装置を着脱可能に装着できるデジタル複合機（ＭＦＰ；Multi Function Printer）に関するものである。
【背景技術】
【０００２】
従来より、原稿を読み取って原稿の画像データを生成するスキャナ機能と画像データに応じた画像を記録材上に印刷する印刷機能とを有し、スキャナで読み取った画像データをメモリカードやＵＳＢメモリ等の携帯型の外部記憶装置に記憶させることのできるデジタル複合機が知られている。
【０００３】
例えば、特許文献１には、ＵＳＢメモリに画像データを書き込む際、画像データの書き込みが完了したか否かを示すフラグを画像データとともにＵＳＢメモリに格納しておき、ＵＳＢメモリが装着された時にこのＵＳＢメモリに格納されている上記フラグに基づいてこのＵＳＢメモリへの書き込みに失敗した画像データがＵＳＢメモリに保存されているか否かを判断する技術が開示されている。
【先行技術文献】
【特許文献】
【０００４】
【特許文献１】特開２００９−１７１０４４号公報（平成２１年７月３０日公開）
【発明の概要】
【発明が解決しようとする課題】
【０００５】
ところで、近年のメモリ技術の進展に伴い、携帯型の外部記憶装置の記憶容量は大容量化が進んでいる。
【０００６】
このため、外部記憶装置の用途としては、画像データの保存機会毎にデジタル複合機から外部記憶装置を取り外して持ち運ぶという一般的な利用方法の他、外部記憶装置をデジタル複合機に装着したままにして複数の画像データの保存機会に渡って継続的に画像データを記憶させる方法（この方法は本願発明者らが考案した方法であって公知技術ではない）も考えられる。
【０００７】
しかしながら、従来のデジタル複合機では、外部記憶装置をデジタル複合機に装着したままにする利用方法については考慮されておらず、外部記憶装置の用途によらず一律の方法で外部記憶装置との電気的接続が制御されている。このため、外部記憶装置の用途によっては適切な制御が行えない場合があった。
【０００８】
本発明は、上記の問題点に鑑みてなされたものであり、その目的は、着脱可能に装着される外部記憶装置に画像データを記憶させることが可能なデジタル複合機において、外部記憶装置の利用方法に応じて外部記憶装置に対する電気的接続を制御することのできるデジタル複合機を提供することにある。
【課題を解決するための手段】
【０００９】
本発明のデジタル複合機は、上記の課題を解決するために、原稿を読み取って上記原稿の画像データを取得する画像読取部と、画像データに応じた画像を記録材上に印刷する画像形成部とを備えたデジタル複合機であって、外部記憶装置が着脱可能に装着されるコネクタ部を有し、このコネクタ部に装着された外部記憶装置と当該デジタル複合機との電気的接続を導通状態と遮断状態とに切り替えるメモリ装着部と、ユーザーからの指示入力を受け付ける操作入力部と、上記コネクタ部に装着された外部記憶装置に対する画像データの保存、および上記コネクタ部に装着された外部記憶装置との電気的接続を制御する制御部とを備え、上記外部記憶装置の利用モードとして持ち運びモードと据え置きモードとを有しており、上記制御部は、上記持ち運びモードの場合には、上記外部記憶装置へのデータの保存が終了したときに上記外部記憶装置との電気的接続を遮断状態にするように上記メモリ装着部を制御し、上記据え置きモードの場合には、上記操作入力部を介してユーザーからの外部記憶装置の取り外し予告指示が入力され、かつ上記外部記憶装置に対するデータの保存が終了したときに上記外部記憶装置との電気的接続を遮断状態にするように上記メモリ装着部を制御することを特徴としている。
【００１０】
上記の構成によれば、外部記憶装置が着脱可能に装着されるコネクタ部を有し、このコネクタ部に装着された外部記憶装置と当該デジタル複合機との電気的接続を導通状態と遮断状態とに切り替えるメモリ装着部と、ユーザーからの指示入力を受け付ける操作入力部と、上記コネクタ部に装着された外部記憶装置に対する画像データの保存、および上記コネクタ部に装着された外部記憶装置との電気的接続を制御する制御部とを備えている。また、外部記憶装置の利用モードとして持ち運びモードと据え置きモードとを有している。そして、制御部が、持ち運びモードの場合には、外部記憶装置へのデータの保存が終了したときに外部記憶装置との電気的接続を遮断状態にするようにメモリ装着部を制御し、据え置きモードの場合には、操作入力部を介してユーザーからの外部記憶装置の取り外し予告指示が入力され、かつ外部記憶装置に対するデータの保存が終了したときに外部記憶装置との電気的接続を遮断状態にするようにメモリ装着部を制御する。これにより、当該デジタル複合機と外部記憶装置との電気的接続状態を外部記憶装置の利用モードに応じた方法で適切に制御することができる。
【００１１】
また、当該デジタル複合機において画像データを取り扱う際に用いられるデータ形式である第１データ形式の画像データに対する処理を行うためのアプリケーションソフトウェアを記憶するアプリケーション記憶部を備えており、上記制御部は、上記外部記憶装置に上記第１データ形式の画像データを保存させる場合に、上記アプリケーションソフトウェアを上記画像データとともに上記外部記憶装置に保存させ、上記外部記憶装置への上記画像データおよび上記アプリケーションソフトウェアの保存が完了してから上記外部記憶装置との電気的接続を遮断状態にするように上記メモリ装着部を制御する構成としてもよい。
【００１２】
上記の構成によれば、デジタル複合機において画像データを取り扱う際に用いられるデータ形式である第１データ形式の画像データに対する処理を行うためのアプリケーションソフトウェアを画像データとともに外部記憶装置に保存させることができるので、外部記憶装置に保存させた第１データ形式の画像データに対する処理を当該デジタル複合機以外の装置においても実行することができる。また、当該デジタル複合機と外部記憶装置との電気的接続状態を外部記憶装置の利用モードに応じた方法で適切に制御することができる。
【００１３】
また、ユーザーに呈示する情報を表示する表示部を備え、上記アプリケーション記憶部は、複数種類の上記アプリケーションソフトウェアを記憶しており、上記制御部は、上記据え置きモードの場合、上記第１データ形式で上記外部記憶装置に画像データを保存させ、ユーザーからの取り外し予告指示があったときに、複数種類の上記アプリケーションソフトウェアのうちのいずれを上記外部記憶装置に保存させるかをユーザーに選択させるためのアプリケーション選択画面を表示させるように上記表示部を制御し、上記操作入力部を介してユーザーが選択したアプリケーションソフトウェアの上記外部記憶装置への保存が完了してから上記外部記憶装置との電気的接続を遮断状態にするように上記メモリ装着部を制御する構成としてもよい。
【００１４】
また、ユーザーに呈示する情報を表示する表示部を備え、上記アプリケーション記憶部は、複数種類の上記アプリケーションソフトウェアを記憶しており、上記制御部は、上記持ち運びモードにおいて上記外部記憶装置に上記第１データ形式で画像データを保存させる場合、当該画像データの上記外部記憶装置への保存が完了したときに、複数種類の上記アプリケーションソフトウェアのうちのいずれを上記外部記憶装置に保存させるかをユーザーに選択させるためのアプリケーション選択画面を表示させるように上記表示部を制御し、上記操作入力部を介してユーザーが選択したアプリケーションソフトウェアの上記外部記憶装置への保存が完了してから上記外部記憶装置との電気的接続を遮断状態にするように上記メモリ装着部を制御する構成としてもよい。
【００１５】
上記の各構成によれば、アプリケーション記憶部に記憶されている複数種類のアプリケーションソフトウェアのうちのいずれを外部記憶装置に保存させるかを外部記憶装置の利用モードに応じた適切なタイミングでユーザーに選択させることができる。これにより、ユーザーが所望するアプリケーションのみを外部記憶装置に保存させることができるので、アプリケーションソフトウェアの保存処理に要する時間を短縮するとともに、外部記憶装置に不必要なアプリケーションソフトウェアが保存されることを防止できる。また、当該デジタル複合機と外部記憶装置との電気的接続状態を外部記憶装置の利用モードに応じた方法で適切に制御することができる。
【００１６】
また、上記アプリケーション記憶部は、少なくとも、上記第１データ形式の画像データに応じた画像を表示手段に表示させるための表示用アプリケーションソフトウェア、上記第１データ形式の画像データに応じた画像を記録材上に印刷させるための印刷用アプリケーションソフトウェア、および上記第１データ形式の画像データに応じた画像の編集処理を行うための編集用アプリケーションソフトウェアを記憶している構成であってもよい。
【００１７】
上記の構成によれば、第１データ形式の画像データとともに表示用、印刷用、あるいは編集用アプリケーションソフトウェアを外部記憶装置に保存させることにより、外部記憶装置に保存された第１データ形式の画像データに対する表示、印刷、あるいは編集処理をデジタル複合機以外の装置において実行することができる。
【発明の効果】
【００１８】
以上のように、本発明のデジタル複合機は、上記制御部が、上記持ち運びモードの場合には、上記外部記憶装置へのデータの保存が終了したときに上記外部記憶装置との電気的接続を遮断状態にするように上記メモリ装着部を制御し、上記据え置きモードの場合には、上記操作入力部を介してユーザーからの外部記憶装置の取り外し予告指示が入力され、かつ上記外部記憶装置に対するデータの保存が終了したときに上記外部記憶装置との電気的接続を遮断状態にするように上記メモリ装着部を制御する。
【００１９】
それゆえ、外部記憶装置との電気的接続状態を外部記憶装置の利用モードに応じた方法で適切に制御することができる。
【図面の簡単な説明】
【００２０】
【図１】本発明の一実施形態にかかるデジタル複合機の概略構成を示すブロック図である。
【図２】図１のデジタル複合機において外部記憶装置に画像データを保存する場合の処理の流れを示すフローチャートである。
【図３】図１のデジタル複合機の表示部に表示されるアプリケーション選択画面の一例を示すフローチャートである。
【発明を実施するための形態】
【００２１】
本発明の一実施形態について説明する。
【００２２】
図１は本実施形態にかかるデジタル複合機１００の概略構成を示すブロック図である。この図に示すように、デジタル複合機１００は、画像読取部１、画像処理部２、画像形成部３、アプリケーション記憶部４、データ形式変換部５、操作パネル６、画像データ記憶部７、外部メモリ装着部８、および制御部９を備えている。
【００２３】
制御部９は、例えばＣＰＵ（Central Processing Unit）等からなり、図示しないＲＯＭ等に格納されたプログラムや各種データ、操作パネル６から入力される情報等に基づいてデジタル複合機１００の各部の動作を制御する。
【００２４】
なお、デジタル複合機１００は、外部記憶装置５０の利用モードとして、画像データの保存機会毎にデジタル複合機１００から外部記憶装置５０を取り外して持ち運ぶ利用方法を想定した持ち運びモードと、外部記憶装置５０をデジタル複合機１００に装着したままにして複数の画像データの保存機会に渡って継続的に画像データを記憶させる利用方法を想定した据え置きモードとを有している。そして、詳細は後述するが、制御部９が、いずれのモードが選択されているかに応じて外部記憶装置５０に画像データを保存する場合の処理を異ならせるようになっている。
【００２５】
画像読取部１は、原稿の画像を読み取って画像データを生成するものであり、例えばＣＣＤ（Charge Coupled Device ）などの光学情報を電気信号に変換するデバイスを備えたスキャナ部（図示せず）より構成されている。なお、画像読取部１がデジタルカメラ等で撮像された画像を外部から取り込むようにしてもよい。
【００２６】
画像処理部２は、画像読取部１が取得した画像データに対してＡ／Ｄ変換処理、シェーディング処理、色補正処理（色変換処理）、変倍処理、階調補正処理などの各種処理を施す。
【００２７】
画像形成部３は、画像データに応じた画像を記録材上に形成（印刷）する。なお、画像形成部３の構成は特に限定されるものではなく、例えば電子写真方式の画像形成装置であってもよく、インクジェット方式の画像形成装置であってもよい。
【００２８】
アプリケーション記憶部４は、画像データに対する各種処理を施すためのアプリケーション（アプリケーションソフトウェア）を記憶する。
【００２９】
なお、画像読取部１、画像処理部２、および画像形成部３は、ＰＤＦやＴｉｆｆなどの汎用のデータ形式とは異なる非汎用のデータ形式である独自データ形式（第１データ形式。デジタル複合機１００の機種、あるいはデジタル複合機１００の機種を含む特定の機種群に固有のデータ形式。あるいは、デジタル複合機１００のメーカー独自のデータ形式。）で画像データを取り扱うようになっており、アプリケーション記憶部４には独自データ形式の画像データに対する各種処理を行うためのアプケーションが格納されている。すなわち、画像読取部１で読み取った画像データをＰＤＦやＴｉｆｆなどの汎用のデータ形式に変換すると画質の低下を招いてしまうので、このような画質の低下を招くことのないデジタル複合機１００内では、デジタル複合機１００独自のデータ形式で画像データを取り扱うようになっている。
【００３０】
本実施形態では、独自データ形式の画像データに対する処理を行うためのアプリケーションとして複数種類のアプリケーションがアプリケーション記憶部４に記憶されている。具体的には、独自データ形式の画像データに応じた画像を表示手段に表示させるための表示用アプリケーション、独自データ形式の画像データに応じた画像を記録材上に印刷するための印刷用アプリケーション、独自データ形式の画像データに応じた画像に各種編集処理（例えば、拡大、縮小、解像度変換、回転、傾き補正、サイズ変換など）を施すための編集用アプリケーション、および、これら各アプリケーションの機能を有する表示・印刷・編集用アプリケーションの４種類のアプリケーションがアプリケーション記憶部４に記憶されている。ただし、アプリケーションの種類はこれに限るものではない。
【００３１】
データ形式変換部５は、独自データ形式の画像データをＰＤＦやＴｉｆｆなどの汎用データ形式の画像データに変換する処理、および汎用データ形式の画像データを独自データ形式の画像データに変換する処理を行う。
【００３２】
操作パネル６は、表示部６ａと操作入力部６ｂとを備えている。表示部６ａは、制御部９からの指示に応じてユーザーに呈示するための情報を表示する。操作入力部６ｂは、ユーザーが各種指示入力を行うためのものであり、操作ボタンなどからなる。
【００３３】
画像データ記憶部７は、画像データを記憶するための記憶手段であり、例えばハードディスク（ＨＤＤ）などで構成される。
【００３４】
外部メモリ装着部８は、外部記憶装置５０が着脱可能に装着されるコネクタ部（図示せず）を備えており、装着された外部記憶装置５０に対するデータの書き込み、および外部記憶装置５０に記憶されているデータの読み出しを行う。また、外部メモリ装着部８は、外部記憶装置５０が装着されているか否かを検知するセンサ（検知手段）を備えており、検知結果を制御部１０に伝達するようになっている。また、外部メモリ装着部８は、コネクタ部に装着された外部記憶装置５０とデジタル複合機１００との電気的接続（外部記憶装置５０への電源供給および外部記憶装置５０の記憶領域へのアクセスを行うための接続）を導通状態と遮断状態とに切り替える機能を有している。本実施形態では、外部メモリ装着部８がＵＳＢコネクタ（コネクタ部）を有しており、外部記憶装置５０としてＵＳＢコネクタを介して外部メモリ装着部８に装着されるＵＳＢメモリを用いる。
【００３５】
なお、外部メモリ装着部８および外部記憶装置５０の構成はこれに限るものではない。例えば、外部記憶装置５０としてフロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いてもよい。また、外部メモリ装着部８については外部記憶装置５０の種類に応じたものを用いればよい。
【００３６】
次に、外部記憶装置５０に対して画像データを記憶させる場合の処理の流れについて、図２のフローチャートを参照しながら説明する。
【００３７】
制御部９は、外部メモリ装着部８に外部記憶装置５０が装着されることを監視しており（Ｓ１）、装着されていない場合には装着されることを引き続き監視する。一方、外部メモリ装着部８に外部記憶装置５０が装着されていると判断した場合、制御部９は、外部記憶装置５０の操作入力部６ｂを介してユーザーから外部記憶装置５０の取り外し指示（取り外し予告指示）が入力されたか否かを判断する（Ｓ２）。そして、取り外し指示が入力されたと判断した場合、制御部９は、後述するＳ１１の処理に移行する。
【００３８】
一方、Ｓ２において取り外し指示が入力されていないと判断した場合、制御部９は外部記憶装置５０に画像データを保存させるか否かを判断する（Ｓ３）。なお、外部記憶装置５０に画像データを保存させる場合、例えば画像読取部１で読み取った画像データを外部記憶装置５０に保存させるようにしてもよく、画像データ記憶部７に記憶している画像データを外部記憶装置５０に移動あるいは複写するようにしてもよい。また、画像データを保存させるか否かは、例えばユーザーからの画像データの保存指示があったか否かに応じて判断すればよい。
【００３９】
Ｓ３において画像データの保存を行わないと判断した場合、制御部９は、Ｓ１に戻って外部記憶装置５０が装着されることを再び監視する。
【００４０】
一方、Ｓ３において画像データの保存を行うと判断した場合、制御部９は、外部記憶装置５０の利用モードが持ち運びモードであるか据え置きモードであるかを判断する（Ｓ４）。なお、いずれのモードを用いるかは、例えばユーザーが操作入力部６ｂを操作して選択すればよい。また、モードを選択するタイミングは、例えば外部記憶装置５０が外部メモリ装着部８に装着される毎に表示部６ａにモードの選択を促す画面を表示させてユーザーに選択させるようにしてもよく、予め操作入力部６ｂを介してモードをしておき、その後に装着される各外部記憶装置５０に対して共通のモードを適用するようにしてもよい。
【００４１】
Ｓ４において持ち運びモードであると判断した場合、制御部９は、独自データ形式で画像データを記憶させるか、汎用データ形式で画像データを保存させるかを判断する（Ｓ５）。なお、いずれのデータ形式で保存させるかは、例えば、表示部６ａにいずれのデータ形式で保存させるかの入力を促す画面を表示させ、操作入力部６ｂを介したユーザーの指示入力に応じて判断してもよく、予めユーザーが操作入力部６ｂを介して設定しておいてもよい。
【００４２】
そして、Ｓ５において汎用データ形式で保存させると判断した場合、制御部９は、データ形式変換部５を制御し、外部記憶装置５０に記憶させる画像データを独自データ形式から汎用データ形式に変換させる（Ｓ６）。なお、汎用データ形式で画像データを保存させる場合、複数の汎用データ形式（例えばＰＤＦとＴｉｆｆ）の中からいずれのデータ形式で保存させるかをユーザーに選択させるようにしてもよい。
【００４３】
その後、制御部９は、外部メモリ装着部８を制御し、汎用データ形式に変換した画像データを外部記憶装置５０に記憶させ（Ｓ７）、外部記憶装置５０との電気的接続を導通状態から遮断状態に切り替えさせ（Ｓ１４）、処理を終了する。
【００４４】
一方、Ｓ５において独自データ形式で画像データを保存させると判断した場合、制御部９は、外部メモリ装着部８を制御して独自データ形式の画像データを外部記憶装置５０に記憶させ、後述するＳ１１の処理に移行する。
【００４５】
また、Ｓ４において据え置きモードであると判断した場合（持ち運びモードではないと判断した場合）、制御部９は、外部メモリ装着部８を制御して独自データ形式の画像データを外部記憶装置５０に記憶させる（Ｓ９）。その後、制御部９は、操作入力部６ｂを介してユーザーからの外部記憶装置５０の取り外し指示が入力されたか否かを判断する（Ｓ１０）。そして、取り外し指示がないと判断した場合、制御部９は、Ｓ１に戻って外部記憶装置５０が装着されることを再び監視する。
【００４６】
一方、Ｓ２あるいはＳ１０において取り外し指示があったと判断した場合、およびＳ８において独自データ形式が画像データを保存した場合、制御部９は、表示部６ａを制御して外部記憶装置５０に記憶させるアプリケーションをユーザーに選択させるためのアプリケーション選択画面を表示させる（Ｓ１１）。
【００４７】
図３はアプリケーション選択画面の一例を示す説明図である。この図に示す例では、表示用アプリケーション、印刷用アプリケーション、編集用アプリケーション、および表示・印刷・編集用アプリケーションの中からユーザーが所望するアプリケーションを選択できるようになっている。また、図３の例では、アプリケーションの保存させないという選択肢も選択可能になっている。なお、アプリケーションを外部記憶装置５０に記憶させるか否かを図３のようにアプリケーション選択画面で選択させるようにしてもよく、アプリケーション選択画面を表示させる前にアプリケーションの保存の要否を問い合わせる画面を表示させ、保存することが選択された場合にアプリケーション選択画面を表示させるようにしてもよい。
【００４８】
その後、制御部９は、アプリケーションを外部記憶装置５０に記憶させるか否かを判断する（Ｓ１２）。そして、アプリケーションを保存させないと判断した場合、制御部９は、外部メモリ装着部８を制御して外部記憶装置５０との電気的接続を導通状態から遮断状態に切り替えさせ（Ｓ１４）、処理を終了する。
【００４９】
一方、Ｓ１２においてアプリケーションを外部記憶装置５０に保存させると判断した場合、制御部９は、アプリケーション記憶部４からユーザーの選択したアプリケーションを抽出し、外部メモリ装着部８を制御して外部記憶装置５０に保存させる（Ｓ１３）。そして、アプリケーションの保存が完了すると、外部メモリ装着部８を制御して外部記憶装置５０との電気的接続を導通状態から遮断状態に切り替えさせ（Ｓ１４）、処理を終了する。
【００５０】
以上のように、本実施形態にかかるデジタル複合機１００は、外部記憶装置５０の利用モードとして持ち運びモードと据え置きモードとを備えている。そして、持ち運びモードの場合には外部記憶装置５０に対するデータの保存（汎用データ形式の画像データの保存、独自データ形式の画像データの保存、あるいは独自データ形式の画像データおよび独自データ形式に対応するアプリケーションの保存）が終了すると外部記憶装置５０とデジタル複合機１００との電気的接続を自動的に遮断して外部記憶装置５０を取り外し可能な状態にする。一方、据え置きモードの場合には独自データ形式の画像データを外部記憶装置５０に記憶させた後、外部記憶装置５０の取り外しを行うか否かを判断し、取り外しを行う場合にはアプリケーションの保存が終了すると外部記憶装置５０とデジタル複合機１００との電気的接続を自動的に遮断して外部記憶装置５０を取り外し可能な状態にする。また、取り外しを行わない場合には独自データ形式の画像データを外部記憶装置５０に記憶させた後、外部記憶装置５０との電気的接続を導通状態のままにして次の処理に備える。
【００５１】
これにより、外部記憶装置５０の利用モードに応じて外部記憶装置５０との電気的接続を適切に制御することができる。
【００５２】
また、本実施形態では、デジタル複合機１００において汎用データ形式ではなくデジタル複合機１００独自のデータ形式である独自データ形式で画像データを取り扱うようになっており、外部記憶装置５０に独自データ形式の画像データを保存させる場合には必要に応じて独自データ形式の画像データに対応するアプリケーションを外部記憶装置５０に記憶させる。これにより、外部記憶装置５０のユーザーがこの外部記憶装置５０を他の装置（たとえばユーザーのパソコン等）に装着することにより、その装置において独自データ形式の画像データを利用することができる。
【００５３】
なお、上記各実施形態においてデジタル複合機１００に備えられる各部（各ブロック）を、ＣＰＵ等のプロセッサを用いてソフトウェアによって実現してもよい。この場合、デジタル複合機１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるデジタル複合機１００の制御プログラムのプログラムコード（実行形式プログラム、中間コードプログラム、ソースプログラム）をコンピュータで読み取り可能に記録した記録媒体を、デジタル複合機１００に供給し、そのコンピュータ（またはＣＰＵやＭＰＵ）が記録媒体に記録されているプログラムコードを読み出し実行することによって達成される。
【００５４】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００５５】
また、デジタル複合機１００を通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００５６】
また、デジタル複合機１００の各ブロックは、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【００５７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５８】
本発明は、外部記憶装置を着脱可能に装着できるデジタル複合機に適用できる。
【符号の説明】
【００５９】
１  画像読取部
２  画像処理部
３  画像形成部
４  アプリケーション記憶部
５  データ形式変換部
６  操作パネル
６ａ  表示部
６ｂ  操作入力部
７  画像データ記憶部
８  外部メモリ装着部（メモリ装着部）
９  制御部
５０  外部記憶装置
１００  複合機
【図１】
2011166215.tif 000003
【図２】
2011166215.tif 000004
【図３】
2011166215.tif 000005